(57)【要約】【課題】ＰＩＤ調節計を用いずにＰＬＣでラダープログラムを実行するだけでＰＩＤ制御と同等の圧力、流量、温度、重量又はｐＨの制御が可能な医薬品又は飲料食品の製造プラントの制御システムを提供する。【解決手段】製品が流通する配管２と、配管２に設けられて開度が調節可能なコントロールバルブ３と、コントロールバルブ３を通過した製品の流量についての現在値を取得する流量センサー４と、流量センサー４から現在値を読み取り可能であり、コントロールバルブ３の開度を設定するための制御値に基づいて開度を調節するプログラマブルロジックコントローラ（ＰＬＣ）５と、を備え、ＰＬＣ５は、製造プラントを始動させてから所定時間を経過した後に、現在値が設定値となるように制御値を所定量増減させるラダープログラムを実行する。【選択図】  図１
2020030553.tif 000002
【特許請求の範囲】
【請求項１】
医薬品又は飲料食品を含む製品の製造プラントの制御システムであって、
前記製品が流通する配管と、
前記配管に設けられて開度が調節可能なコントロールバルブと、
前記コントロールバルブを通過した前記製品の温度、圧力、流量、重量又はｐＨの少なくとも一つについての現在値を検出するセンサーと、
前記センサーから前記現在値を読み取り可能であり、前記コントロールバルブの開度を設定するための制御値により前記開度を調節するプログラマブルロジックコントローラと、を備え、
前記プログラマブルロジックコントローラは、前記製造プラントを始動させてから所定時間を経過した後に、前記現在値が所定の設定値となるように前記制御値を所定量増減させるラダープログラムを実行する
ことを特徴とする医薬品又は飲料食品の製造プラントの制御システム。
【請求項２】
請求項１に記載の医薬品又は飲料食品の製造プラントの制御システムにおいて、
前記プログラマブルロジックコントローラは、
前記製造プラントの終了時に、前記制御値を前回終了時制御値として記憶し、
前記製造プラントを始動してから所定時間までの間に、前記前回終了時制御値になるまで所定量ずつ前記制御値を増加させるラダープログラムを実行し、
前記所定量は、前記前回終了時制御値を所定数で分割した量である
ことを特徴とする医薬品又は飲料食品の製造プラントの制御システム。
【請求項３】
請求項１又は請求項２に記載の医薬品又は飲料食品の製造プラントの制御システムにおいて、
前記プログラマブルロジックコントローラは、前記製造プラントを始動させてから所定時間を経過した後に、
前記現在値が前記設定値よりも大きい場合は、前記制御値から第１の所定量を減少させ、
前記現在値が前記設定値よりも小さい場合は、前記制御値から第１の所定量を増加させるラダープログラムを実行する
ことを特徴とする医薬品又は飲料食品の製造プラントの制御システム。
【請求項４】
請求項３に記載の医薬品又は飲料食品の製造プラントの制御システムにおいて、
前記設定値に対して所定の増加幅又は減少幅が設定されており、
前記プログラマブルロジックコントローラは、前記製造プラントを始動させてから所定時間を経過した後に、
前記現在値が前記設定値に前記増加幅を加算した値よりも大きい場合は、前記制御値から前記第１の所定量よりも大きい第２の所定量を減少させ、
前記現在値が前記設定値から前記減少幅を減算した値よりも小さい場合は、前記制御値から前記第１の所定量よりも大きい第２の所定量を増加させるラダープログラムを実行する
ことを特徴とする医薬品又は飲料食品の製造プラントの制御システム。
【請求項５】
請求項１から請求項４の何れか一項に記載の医薬品又は飲料食品の製造プラントの制御システムにおいて、
前記プログラマブルロジックコントローラは、前記製造プラントを始動させてから所定時間を経過した後に、
前記現在値が所定の上限値よりも大きい場合は、前記制御値を減少させる
ことを特徴とする医薬品又は飲料食品の製造プラントの制御システム。
【発明の詳細な説明】
【技術分野】
【０００１】
本発明は、医薬品又は飲料食品を所望の圧力、流量、又は温度に設定することができる製造プラントの制御システムに関する。
【背景技術】
【０００２】
医薬品又は飲料食品（原料や中間生成物含む。以下、まとめて製品と称する。）の製造プラントは、原料タンク、調合タンク、フィルター、熱交換器、充填機など各種装置や、これらを接続する配管、バルブなどから構成されている。これらの各種装置は、プログラマブルロジックコントローラ（以下、ＰＬＣ）により適宜制御され、原料から製品が製造される。
【０００３】
例えば、ＰＬＣは、原料タンクから調合タンクに所定の流量で原料が供給されるようにそれらを接続する配管に設けられたバルブの開閉制御を行うものがある（特許文献１参照）。流量を制御するためにバルブの開閉制御を実現する具体的な手段としてＰＩＤ制御が用いられる。一般に、ＰＩＤ制御はＰＬＣ単独では困難であるので、ＰＩＤ調節計をＰＬＣに搭載し、ＰＬＣとＰＩＤ調節計とでＰＩＤ制御を行っている。
【０００４】
具体的には、ＰＬＣにＰＩＤ調節計を搭載し、ＰＩＤ調節計にパラメータを与えるラダープログラムを構築する。パラメータとしては、流量の現在値や設定値などである。このようなラダープログラムを実行することで、ＰＩＤ調節計により流量の現在値が設定値となるようにバルブの開閉がＰＩＤ制御される。
【０００５】
しかしなから、ＰＩＤ調節計は、メーカーや機種ごとにパラメータ、使い方、特性などが異なる。このため、ラダープログラムは、ＰＩＤ調節計のメーカーや機種が変れば、その都度、ラダープログラムの構築や修正が必要になるという問題がある。また、ＰＬＣの他にＰＩＤ調節計が必要となることから、コストが増大するという問題がある。なお、このような問題は、製品の流量を制御する場合に限らず、温度、圧力、重量、ｐＨを調整する場合についても同様に存在する。
【先行技術文献】
【特許文献】
【０００６】
【特許文献１】特許第３４４９６０９号公報
【発明の概要】
【発明が解決しようとする課題】
【０００７】
本発明は、このような事情に鑑み、ＰＩＤ調節計を用いずにＰＬＣでラダープログラムを実行するだけでＰＩＤ制御と同等の圧力、流量、温度、重量又はｐＨの制御が可能な医薬品又は飲料食品の製造プラントの制御システムを提供することを目的とする。
【課題を解決するための手段】
【０００８】
上記目的を達成するための第１の態様は、医薬品又は飲料食品を含む製品の製造プラントの制御システムであって、前記製品が流通する配管と、前記配管に設けられて開度が調節可能なコントロールバルブと、前記コントロールバルブを通過した前記製品の温度、圧力、流量、重量又はｐＨの少なくとも一つについての現在値を検出するセンサーと、前記センサーから前記現在値を読み取り可能であり、前記コントロールバルブの開度を設定するための制御値により前記開度を調節するプログラマブルロジックコントローラと、を備え、前記プログラマブルロジックコントローラは、前記製造プラントを始動させてから所定時間を経過した後に、前記現在値が所定の設定値となるように前記制御値を所定量増減させるラダープログラムを実行することを特徴とする医薬品又は飲料食品の製造プラントの制御システムにある。
【０００９】
本発明の第２の態様は、第１の態様に記載する医薬品又は飲料食品の製造プラントの制御システムにおいて、前記プログラマブルロジックコントローラは、前記製造プラントの終了時に、前記制御値を前回終了時制御値として記憶し、前記製造プラントを始動してから所定時間までの間に、前記前回終了時制御値になるまで所定量ずつ前記制御値を増加させるラダープログラムを実行し、前記所定量は、前記前回終了時制御値を所定数で分割した量であることを特徴とする医薬品又は飲料食品の製造プラントの制御システムにある。
【００１０】
本発明の第３の態様は、第１又は第２の態様に記載する医薬品又は飲料食品の製造プラントの制御システムにおいて、前記プログラマブルロジックコントローラは、前記製造プラントを始動させてから所定時間を経過した後に、前記現在値が前記設定値よりも大きい場合は、前記制御値から第１の所定量を減少させ、前記現在値が前記設定値よりも小さい場合は、前記制御値から第１の所定量を増加させるラダープログラムを実行することを特徴とする医薬品又は飲料食品の製造プラントの制御システムにある。
【００１１】
本発明の第４の態様は、第３の態様に記載する医薬品又は飲料食品の製造プラントの制御システムにおいて、前記設定値に対して所定の増加幅又は減少幅が設定されており、前記プログラマブルロジックコントローラは、前記製造プラントを始動させてから所定時間を経過した後に、前記現在値が前記設定値に前記増加幅を加算した値よりも大きい場合は、前記制御値から前記第１の所定量よりも大きい第２の所定量を減少させ、前記現在値が前記設定値から前記減少幅を減算した値よりも小さい場合は、前記制御値から前記第１の所定量よりも大きい第２の所定量を増加させるラダープログラムを実行することを特徴とする医薬品又は飲料食品の製造プラントの制御システムにある。
【００１２】
本発明の第５の態様は、第１から第４の何れか一つの態様に記載する医薬品又は飲料食品の製造プラントの制御システムにおいて、前記プログラマブルロジックコントローラは、前記製造プラントを始動させてから所定時間を経過した後に、前記現在値が所定の上限値よりも大きい場合は、前記制御値を減少させることを特徴とする医薬品又は飲料食品の製造プラントの制御システムにある。
【発明の効果】
【００１３】
本発明によれば、ＰＩＤ調節計を用いずにＰＬＣでラダープログラムを実行するだけでＰＩＤ制御と同等の圧力、流量、温度、重量又はｐＨの制御が可能な医薬品又は飲料食品の製造プラントの制御システムが提供される。
【図面の簡単な説明】
【００１４】
【図１】製造プラントの制御システムの概略構成図である。
【図２】現在値と設定値を示すグラフ及び制御値を示すグラフである。
【図３】制御システムの動作を示すフローチャートである。
【図４】制御システムの動作を示すフローチャートである。
【図５】制御システムの動作を示すフローチャートである。
【発明を実施するための形態】
【００１５】
図１は本実施形態に係る製造プラントの制御システムの概略構成図である。製造プラントは、特に図示しないが、医薬品又は飲料食品（原料や中間生成物含む。以下、まとめて製品と称する。）を製造するための原料タンク、調合タンク、フィルター、熱交換器、充填機など各種装置や、これらを接続する配管、バルブ、さらにこれらを制御するプログラマブルロジックコントローラ（以下、ＰＬＣ）から構成されている。
【００１６】
同図には、製造プラントの一部である配管２、コントロールバルブ３、流量センサー４、ＰＬＣ５が示されている。本実施形態では、製造プラントにおいて配管２を流通する製品をコントロールバルブ３により所定の流量にするための制御システム１について説明する。
【００１７】
配管２は、例えば、調合タンクと熱交換器（殺菌機）とを接続しており、調合タンクで各種原料が調合されて得られた製品を熱交換器に送液するためのものである。コントロールバルブ３は、配管２の開度を調節可能な流量制御弁であり、ＰＬＣ５の制御により開度が調節される。流量センサー４は、配管２を流通する製品の流量を検出する装置である。流量センサー４は、配管２のコントロールバルブ３よりも下流側に設けられ、コントロールバルブ３を通過した製品の流量を検出する。
【００１８】
ＰＬＣ５は、プログラマブルコントローラ又はシーケンサとも称される装置である。ＰＬＣ５は、ＣＰＵ及びメモリを備え、メモリに記憶されたラダープログラムを読み取り実行する。ＰＬＣ５により実行されるラダープログラムは、製造プラントにおいて製品を製造するために必要な各種装置に対する制御を記述したものである。
【００１９】
このような製品を製造するラダープログラムの一部として、配管２を流通する製品の現在値が設定値となるようにコントロールバルブ３に対する制御値を調整するラダープログラムが実装されている。
【００２０】
現在値とは、流量センサー４により計測された配管２を流通する製品の流量である。設定値とは、配管２を流通する製品に対して設定された流量である。設定値は、ＰＬＣ５に記憶されており、設計時又は運用時に適宜設定される。制御値とは、コントロールバルブ３の開度を制御するための値である。制御値が０％であればコントロールバルブ３は全閉、制御値が１００％であればコントロールバルブ３は全開である。
【００２１】
図２〜図５を用いて、ＰＬＣ５により実行される製品の流量の制御について説明する。図２（ａ）は現在値と設定値を示すグラフであり、図２（ｂ）は制御値を示すグラフである。図３〜図５は、制御システム１の動作を示すフローチャートである。図２（ａ）及び図２（ｂ）の横軸は時間を表している。図２（ａ）の縦軸は現在値（流量）を表し、図２（ｂ）の縦軸は制御値を表している。
【００２２】
製品の現在値を設定値にするための制御は、初期立上、緊急時、安定時、不安定時の４つに分類される。まず、初期立上げについて説明する。
【００２３】
初期立上は、製造プラントを始動させてから所定時間（本実施形態では１５秒とする）までの間の時間（Ｔ０〜Ｔ１）をいう。具体的には、図２（ａ）に示すように、現在値が設定値よりも大きく乖離しているときに行われる。また、ここでいう始動とは、製品を製造するために製造プラントを始動させることのみならず、ＣＩＰ／ＳＩＰの始動も含む。
【００２４】
まず、ＰＬＣ５は、製造プラントにおける製品の製造プロセスの終了時に、そのときの制御値を前回終了時制御値としてメモリに記憶しておく。このとき、後述する安定時における制御値を前回終了時制御値として記憶する。なお、初めて製造プラントを始動させるときは、まだ一度も製造プロセスを実行し終えていないことから、予め適当な値を前回終了時制御値として設定しておく。
【００２５】
次回に製造プロセスを始動する際には（Ｔ０）、ＰＬＣ５は、前回終了時制御値を呼出し（図３ステップＳ１）、前回終了時制御値を所定数（本実施形態では５）で分割した量（以下、増加量）を計算する（図３ステップＳ２）。次に、ＰＬＣ５は、製造プラントを始動してから所定時間（Ｔ１）までの間に、前記前回終了時制御値になるまで増加量ずつ制御値を増加させる（図３ステップＳ３）。
【００２６】
図２（ｂ）に示すように、初期立上では、１５秒の間に段階的に制御値が増加している。この増加量は、前回終了時制御値を５で分割した値となっており、初期立上の終了時では、制御値は前回終了時制御値となっている。
【００２７】
図２（ａ）に示すように、初期立上では、制御値を段階的に増加させていくため、すなわち、コントロールバルブ３の開度が段階的に開いているため、現在値（流量）が設定値付近まで早く立ち上げることができる。また、初期立上では、開度を段階的に増加させていくが、その到達点は前回終了時制御値である。前回終了時制御値は、前回の製造プロセスにおいて、現在値が設定値にほぼ等しい時におけるものである。したがって、初期立上が完了したときには、若干のオーバーシュートはあるが、すぐに現在値を設定値に安定させることができる。
【００２８】
また、ある特定の設定値を実現するために必要な制御値は一定とは限らず、例えば、製造プラントの周囲の環境の変化（季節変動など）によって変動する。本発明では、前回終了時制御値は、製造プロセスのたびに更新されるものであり、初期立上ではその前回終了時制御値となるように段階的に制御値を増加させていく。これにより、初期立上の完了時には、製造プラントの周囲の環境の変化に適応して最適な制御値とすることができる。
【００２９】
次に、緊急時について説明する。緊急時は、現在値が上限値（設定値±Δより大きい値）を超えたときのことをいう（Ｔ６〜Ｔ７）。ＰＬＣ５は、製造プラントを始動させてから所定時間を経過した後に（Ｔ１以後に）、現在値が所定の上限値よりも大きい場合は（図２のＴ６のとき、図３ステップＳ４；Ｙｅｓ）、緊急時と判定し、制御値を減少させる（図３ステップＳ５）。
【００３０】
現在値が上限値を超えたとき（図２（ｂ）Ｔ６）の制御値を９０％（図２（ａ））にする。これにより、コントロールバルブ３の開度が小さくなるので、図２（ａ）に示すように、現在値は減少し、所定時間経過後（Ｔ７）、上限値を下回るようになる。このように、何らかの原因で上限値を超えるような緊急事態が生じても、それを検知して流量を減少させ、緊急事態を解消することができる。
【００３１】
なお、Ｔ６からＴ７の間、コントロールバルブ３の制御値を減少させる方法としては、一度、制御値を減少させるだけでもよいし、一定間隔を空けて複数回に亘って制御値を減少させてもよい。また、現在値が上限値を超えたとき、直ちに、コントロールバルブ３の制御値を減少させてもよいし、一定時間経過後に減少させるようにしてもよい。
【００３２】
次に、安定時について説明する。安定時は、現在値が設定値±Δ（＋Δを増加幅、−Δを減少幅と称する）以内であるときをいう（Ｔ３〜Ｔ４、Ｔ５〜Ｔ６）。ＰＬＣ５は、製造プラントを始動させてから所定時間を経過した後に、現在値が設定値よりも大きい又は小さい場合は、制御値に第１の所定量を減少又は増加させるラダープログラムを実行する。詳細には次のように処理が行われる。
【００３３】
まず、ＰＬＣ５は、緊急時でないとき（図３ステップＳ４；Ｎｏ）、現在値が設定値より大きいかを判定する（図３ステップＳ６）。現在値が設定値より大きい場合（図３ステップＳ６；Ｙｅｓ）、制御値を第１の所定量だけ減少させる（図４ステップＳ７）。
【００３４】
図２（ａ）に示すように、安定時において、現在値が設定値を超えたとき（Ｔ１０）、図２（ｂ）に示すように、制御値から第１の所定量（例えば、そのときの制御値の０．３％）を減じる。これにより、コントロールバルブ３の開度が若干小さくなるので、図２（ａ）に示すように、制御値を減じてから一定時間経過後（Ｔ１１）に、現在値は減少し、設定値と等しいまたは近くなっている。
【００３５】
また、ＰＬＣ５は、現在値が設定値以下の場合（図３ステップＳ６；Ｎｏ）、制御値を第１の所定量だけ増加させる（図５ステップＳ８）。なお、加算時（図４ステップＳ７）の第１の所定量と減算時（図５ステップＳ８）の第１の所定量は異なっていてもよい。
【００３６】
図２（ａ）に示すように、安定時において、現在値が設定値以下であるとき（例えばＴ１２）、図２（ｂ）に示すように、制御値から第１の所定量（例えば、そのときの制御値の０．２％）を増加する。これにより、コントロールバルブ３の開度が若干大きくなるので、図２（ａ）に示すように、制御値を増加してから一定時間経過後（例えばＴ１３）に、現在値は増大し、設定値と等しいまたは近くなっている。
【００３７】
このように、コントロールバルブ３を開閉することで、現在値が設定値とほぼ等しい安定な状態を維持することができる。
【００３８】
なお、安定時において、コントロールバルブ３の制御値を増加又は減少させる方法としては、一度、制御値を増加又は減少させるだけでもよいし、一定間隔を空けて複数回に亘って制御値を増加又は減少させてもよい。また、現在値が設定値を超えたとき、直ちに、コントロールバルブ３の制御値を増加又は減少させてもよいし、一定時間経過後に増加又は減少させるようにしてもよい。
【００３９】
次に、不安定時について説明する。不安定時は、現在値が設定値±Δより大きい又は小さいときをいう（Ｔ２〜Ｔ３、Ｔ４〜Ｔ５）。ＰＬＣ５は、製造プラントを始動させてから所定時間を経過した後に、現在値が設定値±Δよりも大きい又は小さい場合は、制御値に第２の所定量を減少又は増加させるラダープログラムを実行する。詳細には次のように処理が行われる。なお、第２の所定量は第１の所定量よりも大きい。
【００４０】
まず、ＰＬＣ５は、現在値が設定値＋Δより大きいかを判定する（図４ステップＳ９）。現在値が設定値＋Δ以下の場合（図４ステップＳ９；Ｎｏ）、図３ステップＳ４に処理が戻る。一方、現在値が設定値＋Δより大きい場合（図４ステップＳ９；Ｙｅｓ）、制御値を第２の所定量だけ減少させる（図４ステップＳ１０）。。そして、ＰＬＣ５は、現在値が設定値＋Δ以上であるならば（図４ステップＳ１１；Ｎｏ）、まだ不安定であるので、一定時間待機した後、ステップＳ１０の処理を実行する。また、ＰＬＣ５は、現在値が設定値＋Δより小さいならば（図４ステップＳ１１；Ｙｅｓ）、安定状態になったので、ステップＳ４からの処理に戻る。
【００４１】
図２（ａ）に示すように、不安定時において、現在値が設定値＋Δを超えたとき（Ｔ４）、図２（ｂ）に示すように、制御値から第２の所定量（例えば、そのときの制御値の３．０％）を減じる。これにより、コントロールバルブ３の開度が小さくなるので、図２（ａ）に示すように、制御値を減じてから一定時間経過後（Ｔ５）に、現在値は大きく減少し、安定状態に向かう。
【００４２】
また、ＰＬＣ５は、現在値が設定値−Δより小さいかを判定する（図５ステップＳ１２）。現在値が設定値−Δ以上の場合（図５ステップＳ１２；Ｎｏ）、図３ステップＳ４に処理が戻る。一方、現在値が設定値−Δより小さい場合（図５ステップＳ１２；Ｙｅｓ）、制御値を第２の所定量だけ増加させる（図５ステップＳ１３）。そして、ＰＬＣ５は、現在値が設定値−Δ以下であるならば（図５ステップＳ１４；Ｎｏ）、まだ不安定であるので、一定時間待機した後、ステップＳ１３の処理を実行する。また、ＰＬＣ５は、現在値が設定値−Δより大きいならば（図５ステップＳ１４；Ｙｅｓ）、安定状態になったので、ステップＳ４からの処理に戻る。なお、加算時（図５ステップＳ１３）の第２の所定量と減算時（図４ステップＳ１０）の第２の所定量は異なっていてもよい。
【００４３】
図２（ａ）に示すように、不安定時において、現在値が設定値−Δより小さいとき（Ｔ２）、図２（ｂ）に示すように、制御値から第２の所定量（例えば、そのときの制御値の２．０％）を増加する。これにより、コントロールバルブ３の開度が大きくなるので、図２（ａ）に示すように、制御値を増加してから一定時間経過後（Ｔ３）に、現在値は大きく増大し、安定状態に向かう。
【００４４】
このように、コントロールバルブ３を開閉することで、現在値が不安定な状態となっても、安定状態にすることができる。
【００４５】
なお、不安定時において、コントロールバルブ３の制御値を増加又は減少させる方法としては、一度、制御値を増加又は減少させるだけでもよいし、一定間隔を空けて複数回に亘って制御値を増加又は減少させてもよい。また、現在値が設定値±Δを超えたとき、直ちに、コントロールバルブ３の制御値を増加又は減少させてもよいし、一定時間経過後に増加又は減少させるようにしてもよい。
【００４６】
本実施形態に係る制御システム１では、安定時、不安定時、緊急時に示したように、製造プラントを始動させてから所定時間を経過した後に、現在値が設定値となるように制御値を所定量増減させるラダープログラムを実行する。これにより、ラダープログラムのみで、ＰＩＤ制御と同等の制御を実現して、設定値となるように現在値を制御することができる。
【００４７】
したがって、ＰＩＤ調節計が不要となるのでコストを節減することができる。また、ＰＩＤ調節計のメーカーや機種が変わるたびに、ラダープログラムの構築や修正が必要になる、といった問題が解消される。
【００４８】
なお、本発明の実施形態について説明したが、勿論、本発明は、上述の実施形態に限定されるものではなく、本発明の趣旨から逸脱しない範囲内で、構成の付加、省略、置換、およびその他の変更が可能である。
【００４９】
例えば、上記実施形態では、製品の流量をコントロールバルブ３の開度調整で設定値にするようにしたが、これに限定されない。例えば、製品の温度、圧力、重量、ｐＨ等についてもコントロールバルブ３の開度調整で設定値にすることができる。
【符号の説明】
【００５０】
１…制御システム、２…配管、３…コントロールバルブ、４…流量センサー、５…プログラマブルロジックコントローラ（ＰＬＣ）
【図１】
2020030553.tif 000003
【図２】
2020030553.tif 000004
【図３】
2020030553.tif 000005
【図４】
2020030553.tif 000006
【図５】
2020030553.tif 000007
【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
医薬品又は飲料食品を含む製品の製造プラントの制御システムであって、
前記製品が流通する配管と、
前記配管に設けられて開度が調節可能なコントロールバルブと、
前記コントロールバルブを通過した前記製品の温度、圧力、流量、重量又はｐＨの少なくとも一つについての現在値を検出するセンサーと、
前記センサーから前記現在値を読み取り可能であり、前記コントロールバルブの開度を設定するための制御値により前記開度を調節するプログラマブルロジックコントローラと、を備え、
前記プログラマブルロジックコントローラは、前記製造プラントを始動させてから所定時間を経過した後に、前記現在値が所定の設定値となるように前記制御値を所定量増減させるラダープログラムを実行し、
さらに、前記プログラマブルロジックコントローラは、
前記製造プラントの終了時に、前記制御値を前回終了時制御値として記憶し、
前記製造プラントを始動してから所定時間までの間に、前記前回終了時制御値になるまで所定量ずつ前記制御値を増加させるラダープログラムを実行し、
前記所定量は、前記前回終了時制御値を所定数で分割した量である
ことを特徴とする医薬品又は飲料食品の製造プラントの制御システム。
【請求項２】
医薬品又は飲料食品を含む製品の製造プラントの制御システムであって、
前記製品が流通する配管と、
前記配管に設けられて開度が調節可能なコントロールバルブと、
前記コントロールバルブを通過した前記製品の温度、圧力、流量、重量又はｐＨの少なくとも一つについての現在値を検出するセンサーと、
前記センサーから前記現在値を読み取り可能であり、前記コントロールバルブの開度を設定するための制御値により前記開度を調節するプログラマブルロジックコントローラと、を備え、
前記プログラマブルロジックコントローラは、前記製造プラントを始動させてから所定時間を経過した後に、前記現在値が所定の設定値となるように前記制御値を所定量増減させるラダープログラムを実行し、
さらに、前記プログラマブルロジックコントローラは、前記製造プラントを始動させてから所定時間を経過した後に、
前記現在値が前記設定値よりも大きい場合は、前記制御値から第１の所定量を減少させ、
前記現在値が前記設定値よりも小さい場合は、前記制御値から第１の所定量を増加させるラダープログラムを実行する
ことを特徴とする医薬品又は飲料食品の製造プラントの制御システム。
【請求項３】
請求項２に記載の医薬品又は飲料食品の製造プラントの制御システムにおいて、
前記設定値に対して所定の増加幅又は減少幅が設定されており、
前記プログラマブルロジックコントローラは、前記製造プラントを始動させてから所定時間を経過した後に、
前記現在値が前記設定値に前記増加幅を加算した値よりも大きい場合は、前記制御値から前記第１の所定量よりも大きい第２の所定量を減少させ、
前記現在値が前記設定値から前記減少幅を減算した値よりも小さい場合は、前記制御値から前記第１の所定量よりも大きい第２の所定量を増加させるラダープログラムを実行する
ことを特徴とする医薬品又は飲料食品の製造プラントの制御システム。
【請求項４】
医薬品又は飲料食品を含む製品の製造プラントの制御システムであって、
前記製品が流通する配管と、
前記配管に設けられて開度が調節可能なコントロールバルブと、
前記コントロールバルブを通過した前記製品の温度、圧力、流量、重量又はｐＨの少なくとも一つについての現在値を検出するセンサーと、
前記センサーから前記現在値を読み取り可能であり、前記コントロールバルブの開度を設定するための制御値により前記開度を調節するプログラマブルロジックコントローラと、を備え、
前記プログラマブルロジックコントローラは、前記製造プラントを始動させてから所定時間を経過した後に、前記現在値が所定の設定値となるように前記制御値を所定量増減させるラダープログラムを実行し、
前記プログラマブルロジックコントローラは、前記製造プラントを始動させてから所定時間を経過した後に、
前記現在値が所定の上限値よりも大きい場合は、前記製品の供給を遮断せずに前記制御値を減少させる
ことを特徴とする医薬品又は飲料食品の製造プラントの制御システム。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
上記目的を達成するための第１の態様は、医薬品又は飲料食品を含む製品の製造プラントの制御システムであって、前記製品が流通する配管と、前記配管に設けられて開度が調節可能なコントロールバルブと、前記コントロールバルブを通過した前記製品の温度、圧力、流量、重量又はｐＨの少なくとも一つについての現在値を検出するセンサーと、前記センサーから前記現在値を読み取り可能であり、前記コントロールバルブの開度を設定するための制御値により前記開度を調節するプログラマブルロジックコントローラと、を備え、前記プログラマブルロジックコントローラは、前記製造プラントを始動させてから所定時間を経過した後に、前記現在値が所定の設定値となるように前記制御値を所定量増減させるラダープログラムを実行し、さらに、前記プログラマブルロジックコントローラは、前記製造プラントの終了時に、前記制御値を前回終了時制御値として記憶し、前記製造プラントを始動してから所定時間までの間に、前記前回終了時制御値になるまで所定量ずつ前記制御値を増加させるラダープログラムを実行し、前記所定量は、前記前回終了時制御値を所定数で分割した量であることを特徴とする医薬品又は飲料食品の製造プラントの制御システムにある。
【手続補正４】
【補正対象書類名】明細書
【補正対象項目名】００１０
【補正方法】変更
【補正の内容】
【００１０】
本発明の第２の態様は、医薬品又は飲料食品を含む製品の製造プラントの制御システムであって、前記製品が流通する配管と、前記配管に設けられて開度が調節可能なコントロールバルブと、前記コントロールバルブを通過した前記製品の温度、圧力、流量、重量又はｐＨの少なくとも一つについての現在値を検出するセンサーと、前記センサーから前記現在値を読み取り可能であり、前記コントロールバルブの開度を設定するための制御値により前記開度を調節するプログラマブルロジックコントローラと、を備え、前記プログラマブルロジックコントローラは、前記製造プラントを始動させてから所定時間を経過した後に、前記現在値が所定の設定値となるように前記制御値を所定量増減させるラダープログラムを実行し、さらに、前記プログラマブルロジックコントローラは、前記製造プラントを始動させてから所定時間を経過した後に、前記現在値が前記設定値よりも大きい場合は、前記制御値から第１の所定量を減少させ、前記現在値が前記設定値よりも小さい場合は、前記制御値から第１の所定量を増加させるラダープログラムを実行することを特徴とする医薬品又は飲料食品の製造プラントの制御システムにある。
【手続補正５】
【補正対象書類名】明細書
【補正対象項目名】００１１
【補正方法】変更
【補正の内容】
【００１１】
本発明の第３の態様は、第２の態様に記載する医薬品又は飲料食品の製造プラントの制御システムにおいて、前記設定値に対して所定の増加幅又は減少幅が設定されており、前記プログラマブルロジックコントローラは、前記製造プラントを始動させてから所定時間を経過した後に、前記現在値が前記設定値に前記増加幅を加算した値よりも大きい場合は、前記制御値から前記第１の所定量よりも大きい第２の所定量を減少させ、前記現在値が前記設定値から前記減少幅を減算した値よりも小さい場合は、前記制御値から前記第１の所定量よりも大きい第２の所定量を増加させるラダープログラムを実行することを特徴とする医薬品又は飲料食品の製造プラントの制御システムにある。
【手続補正６】
【補正対象書類名】明細書
【補正対象項目名】００１２
【補正方法】変更
【補正の内容】
【００１２】
本発明の第４の態様は、医薬品又は飲料食品を含む製品の製造プラントの制御システムであって、前記製品が流通する配管と、前記配管に設けられて開度が調節可能なコントロールバルブと、前記コントロールバルブを通過した前記製品の温度、圧力、流量、重量又はｐＨの少なくとも一つについての現在値を検出するセンサーと、前記センサーから前記現在値を読み取り可能であり、前記コントロールバルブの開度を設定するための制御値により前記開度を調節するプログラマブルロジックコントローラと、を備え、前記プログラマブルロジックコントローラは、前記製造プラントを始動させてから所定時間を経過した後に、前記現在値が所定の設定値となるように前記制御値を所定量増減させるラダープログラムを実行し、前記プログラマブルロジックコントローラは、前記製造プラントを始動させてから所定時間を経過した後に、前記現在値が所定の上限値よりも大きい場合は、前記製品の供給を遮断せずに前記制御値を減少させることを特徴とする医薬品又は飲料食品の製造プラントの制御システムにある。